(57)【要約】【課題】上側コーナー曲げ部に発生した皺によっても作業性が悪化することなく、錆を発生させないようにした構造を備えた室外機を提供する。【解決手段】室外機６０は、上側コーナー曲げ部１２ｂが、上側コーナー曲げ部１２ｂの理想の曲げライン１２ｅよりも内側に位置させる傾斜部１２ｄを介してフランジ１２ａの直線部１２ｇと接続されている。【選択図】図４
2015031488.tif 000002
【特許請求の範囲】
【請求項１】
上部に形成されたフランジとともに曲げ加工が施されたコーナー曲げ部を有する第１パネルと、
側面が形成され、前記側面の内面に前記第１パネルの前記フランジの外面が接するように前記第１パネルの上部に取り付けられた第２パネルと、を有し、
前記フランジのコーナー曲げ部は、
該コーナー曲げ部の開始部分を曲げ方向に所定の角度で傾斜させた傾斜部を介して前記フランジの直線部と接続されている
ことを特徴とする室外機。
【請求項２】
前記傾斜部は、
前記第１パネルを構成する板金部品の曲げ加工が施される部分のうち少なくとも前記フランジの曲げ開始部分を、前記第１パネルを構成する板金部品のうち少なくとも前記フランジの直線部分よりも所定の角度で曲げ方向に傾斜させて作成される
ことを特徴とする請求項１に記載の室外機。
【請求項３】
前記フランジのコーナー曲げ部の高さを、
前記フランジの直線部の高さと同じにしている
ことを特徴とする請求項１又は２に記載の室外機。
【請求項４】
前記第１パネルは、
前面パネルと一方の側面パネルとが一体になった外郭パネルと、
他方の側面パネルと背面パネルの一部とが一体となった側面パネルと、で構成されており、
前記傾斜部は、
前記外郭パネル及び側面パネルの前記フランジのコーナー曲げ部の少なくとも１つに形成されている
ことを特徴とする請求項１〜３のいずれか一項に記載の室外機。
【請求項５】
請求項１〜４のいずれか一項に記載の室外機と、
前記室外機に接続される室内機と、を備えた
ことを特徴とする空気調和装置。
【発明の詳細な説明】
【技術分野】
【０００１】
本発明は、空気調和装置の室外機及びこの室外機を備えた空気調和装置に関し、特に室外機の外郭構造に関するものである。
【背景技術】
【０００２】
一般的に、空気調和装置の室外機は、前面及び側面の一部を構成する外郭パネルと、天面を構成する天面パネルと、側面の一部を構成する側面パネルとにより、筐体が形成されている。外郭パネルは、１枚のパネルを構成する板金部品が曲面状に直角に曲げられて、室外機の前面と、室外機の側面と、を構成するようになっている。この外郭パネルに側面パネルを組み合わせ、それらの上側に天面パネルを装着して、筐体が完成する。
【０００３】
天面パネルは、外郭パネルの曲げられた部分の上側（以下、上側コーナー曲げ部と称する）の外側に被せられている。外郭パネルは、板金部品を曲面状に直角に曲げ成形するため、この曲面状の部分が縮まることによって、上側コーナー曲げ部に皺ができてしまう。そこで、上側コーナー曲げ部に切り込みを設け、高さを低くして、皺の発生を抑制するようにしたものが提案されている（例えば、特許文献１参照）。
【先行技術文献】
【特許文献】
【０００４】
【特許文献１】特開２００７−１１３８６１号公報（段落［００４９］、図３等）
【発明の概要】
【発明が解決しようとする課題】
【０００５】
上側コーナー曲げ部に皺があると、本来の理想の曲げラインよりも皺の部分が外側にはみ出してしまう。そのため、天面パネルを外郭パネルの上側に装着する際、天面パネルが外郭パネルの上側に精度よく嵌合しなくなり、作業性が悪化してしまう。また、天面パネルを外郭パネルの上側に無理やり押し込んで嵌合させようとすると、天面パネルと、本来の理想の曲げラインよりも外側にはみ出した外郭パネルの皺の部分と、がこすれてしまう。そのため、接触部分の塗装が剥がれ、その部分に錆が発生する可能性がある。
【０００６】
特許文献１に記載の技術も含め、板金部品を曲面状に直角に曲げ加工するものにおいては、板金部品成形の特性によって、皺の発生をゼロにすることはできない。すなわち、特許文献１に記載の技術は、皺の発生を少なくできる可能性はあるが、板金部品を曲げ加工する以上、皺の発生をゼロにはできず、上記のような課題が解決できるとは言えない。
【０００７】
本発明は、上記のような課題を解決するためになされたもので、上側コーナー曲げ部に発生した皺によっても作業性が悪化することなく、錆を発生させないようにした構造を備えた室外機及び空気調和装置を提供することを目的としている。
【課題を解決するための手段】
【０００８】
本発明に係る室外機は、上部に形成されたフランジとともに曲げ加工が施されたコーナー曲げ部を有する第１パネルと、側面が形成され、前記側面の内面に前記第１パネルの前記フランジの外面が接するように前記第１パネルの上部に取り付けられた第２パネルと、を有し、前記フランジのコーナー曲げ部は、該コーナー曲げ部の開始部分を曲げ方向に所定の角度で傾斜させた傾斜部を介して前記フランジの直線部と接続されているものである。
【０００９】
本発明に係る空気調和装置は、上記の室外機と、前記室外機に接続される室内機と、を備えたものである。
【発明の効果】
【００１０】
本発明に係る室外機によれば、傾斜部を介してフランジのコーナー曲げ部をフランジの直線部と接続しているので、フランジのコーナー曲げ部に発生する皺と第２パネルのコーナー部の内面とのこすれ等が発生しない。そのため、第２パネルを嵌める際の作業性が悪化することなく、錆の発生を抑えることができる。
【００１１】
本発明に係る室外機によれば、上記の室外機を備えているので、品質の低下を抑制できる。
【図面の簡単な説明】
【００１２】
【図１】本発明の実施の形態に係る室外機を備えた空気調和装置の全体構成を示す概略構成図である。
【図２】本発明の実施の形態に係る室外機の構成を示す分解斜視図である。
【図３】本発明の実施の形態に係る室外機の外郭パネルの構成を示す拡大斜視図である。
【図４】本発明の実施の形態に係る室外機の外郭パネルの上側コーナー曲げ部を説明するための断面模式図である。
【図５】本発明の実施の形態に係る室外機の外郭パネルの上側コーナー曲げ部を説明するための拡大斜視図である。
【図６】従来の室外機の外郭パネルの上側コーナー曲げ部を説明するための模式視図である。
【発明を実施するための形態】
【００１３】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１４】
図１は、本発明の実施の形態に係る室外機６０を備えた空気調和装置Ａの全体構成を示す概略構成図である。図２は、室外機６０の構成を示す分解斜視図である。図１及び図２に基づいて、室外機６０及び空気調和装置Ａの構成について説明する。室外機６０は、外郭パネル１２の上側コーナー曲げ部１２ｂに発生した皺によっても、作業性が悪化することなく、錆を発生させないようにした構造を備えている。
【００１５】
空気調和装置Ａは、例えばセパレート型の家庭用エアコンとして適用されるものであり、室内機５０と室外機６０とを有している。室内機５０は、据付板５１を例えば室内側の壁面にビス５９等で固定し、据付板５１に引っ掛けるようにして固定され、空調対象空間に空調空気を供給する。室外機６０は、支持台６１を空調対象空間とは別空間（例えば屋外）に設置し、支持台６１に載置されるように固定され、室内機５０に冷熱又は温熱を供給する。また、室外機６０は、運転時の風路が確保でき、かつ室内機５０からの距離があまり長くならない位置などに設置するとよい。
【００１６】
室内機５０と、室外機６０とを、フレア加工を行った延長配管（冷媒配管）７０を用いて結合する。これにより、室内機５０の要素機器と室外機６０の要素機器とが配管接続され、冷媒回路が構成される。なお、室内機５０と、室外機６０とは、電気的に接合されている。
【００１７】
（室内機５０）
室内機５０は、室内熱交換器、室内送風モータ、及び、送風ファン等を有している。室内熱交換器は、暖房運転時には凝縮器（放熱器）、冷房運転時には蒸発器として機能するものである。室内送風モータ及び送風ファンは、室内熱交換器の前方に配置され、室内熱交換器に風を送るものである。なお、室内機５０には、空調対象空間の空気を吸い込む吸込口５７が上面に形成されている。また、室内機５０には、吸込口５７から吸い込んだ空気を室内熱交換器へ通過させて熱交換し、空調空気を空調対象空間へ吹き出す吹出口５８が前面下方に形成されている。
【００１８】
（室外機６０）
室外機６０には、冷媒を圧縮する例えば回転数可変型の圧縮機６と、圧縮機６に接続される冷媒配管７と、圧縮機６及びモータ３を駆動する駆動装置が収容されている電気品箱８と、暖房運転時には蒸発器、冷房運転時には凝縮器（放熱器）として機能するＬ字曲げ熱交換器１と、Ｌ字曲げ熱交換器１に風を送るプロペラファン２と、プロペラファン２を回転駆動させるモータと、モータ３を保持するモーターサポート４が収容されている。なお、室外機６０には、冷媒の圧力を減圧する流量制御装置（減圧器）、冷媒の流れを切り替える四方弁等も収容されている。
【００１９】
室外機６０にはセパレータ１０が設けられ、セパレータ１０によって室外機６０の内部空間が仕切られている。Ｌ字曲げ熱交換器１、プロペラファン２、モータ３、及び、モーターサポート４は、セパレータ１０によって仕切られた送風機室５に収容されている。圧縮機６、冷媒配管７、及び、電気品箱８は、セパレータ１０によって仕切られた機械室９に収容されている。また、圧縮機６、Ｌ字曲げ熱交換器１、モーターサポート４、セパレータ１０は、底板１１上に保持されている。なお、モーターサポート４の上部は、Ｌ字曲げ熱交換器１の上部に引っ掛けられるようになっている。
【００２０】
室外機６０は、複数のパネルによって全体が覆われ、外郭を構成する筐体が形成されている。複数のパネルは、前面パネルと左側面パネルとが一体になった外郭パネル１２、右側面と背面の右端部分とが一体となった側面パネル１３、外郭パネル１２及び側面パネル１３の上端に取り付けられ、上面を構成して上部を覆う天面パネル１４により構成されている。なお、外郭パネル１２と側面パネル１３とを一体としてもよい。なお、外郭パネル１２、及び、側面パネル１３が、本発明の「第１パネル」に相当する。天面パネル１４が、本発明の「第２パネル」に相当する。
【００２１】
外郭パネル１２の上端部には、フランジ１２ａが形成されている。フランジ１２ａは、外郭パネル１２の上端部を、外郭パネル１２よりも内側に位置させるように成形されている。また、側面パネル１３の上端部にも、フランジ１３ａが形成されている。フランジ１３ａは、側面パネル１３の上端部を、側面パネル１３よりも内側に位置させるように成形されている。そのため、フランジ１２ａ及びフランジ１３ａは、天面パネル１４が取り付けられた状態において、その外面が天面パネル１４の側面１４Ａの内面に接するようになっている。ただし、フランジ１２ａ及びフランジ１３ａの外面全部が、天面パネル１４の側面１４Ａに接している必要はない。
【００２２】
外郭パネル１２は、外郭パネル１２を構成する板金部品を曲面状に９０度前後の曲げ加工を施して形成されている。外郭パネル１２には、図２に示すように３つのコーナー曲げ部が形成される。同様に、側面パネル１３は、側面パネル１３を構成する板金部品を曲面状に９０度前後の曲げ加工を施して形成されている。側面パネル１３には、図２に示すように１つのコーナー曲げ部が形成される。なお、外郭パネル１２のコーナー曲げ部をコーナー曲げ部１２Ａとして、側面パネル１３のコーナー曲げ部をコーナー曲げ部１３Ａとして図示している。
【００２３】
そのため、天面パネル１４が取り付けられた状態においては、外郭パネル１２及び側面パネル１３のコーナー曲げ部(左右前後の４箇所)においても、天面パネル１４の側面１４Ａの内面に接する構造となっている。
【００２４】
図３は、室外機６０の外郭パネル１２の構成を示す拡大斜視図である。図４は、室外機６０の外郭パネル１２の上側コーナー曲げ部１２ｂを説明するための断面模式図である。図５は、室外機６０の外郭パネル１２の上側コーナー曲げ部１２ｂを説明するための拡大斜視図である。図６は、従来の室外機の外郭パネルの上側コーナー曲げ部を説明するための模式視図である。図３〜図５に基づいて、外郭パネル１２の上側コーナー曲げ部１２ｂについて詳細に説明する。このとき、図６に示す従来構造を適宜参照するものとする。なお、図６に示す従来の室外機については、末尾に「０」を付記して、区別するものとする。
【００２５】
上述したように、外郭パネル１２のコーナー曲げ部１２Ａは、外郭パネル１２を構成する板金部品を曲面状に９０度前後の曲げ加工が施されて形成されている。また、外郭パネル１２の上端部にはフランジ１２ａが形成されている。つまり、フランジ１２ａも曲面状に９０度前後の曲げ加工が施されている。以下の説明では、コーナー曲げ部１２Ａのうちフランジ部分に形成されているコーナー曲げ部１２Ａを上側コーナー曲げ部１２ｂと称する。
【００２６】
図６には、外郭パネル１２０のフランジ１２０ａを９０度前後に曲げたときの上側コーナー曲げ部１２０ｂの理想の曲げライン１２０ｃを示している。また、図６には、上側コーナー曲げ部１２０ｂに発生した皺の状態も併せて図示している。図６に示すように、板金部品にフランジ１２０ａを形成し、フランジ１２０ａとともにコーナー部分で曲げた場合、板金部品の特性上、通常、フランジ１２０ａのコーナー曲げ部（上側コーナー曲げ部１２０ｂ）には皺ができてしまう。
【００２７】
そして、図６から、上側コーナー曲げ部１２０ｂに発生した皺のうち外側に突出した部分が、理想の曲げライン１２０ｃよりも外側にはみ出ていることがわかる。そのため、上側コーナー曲げ部１２０ｂに発生した皺の外面と天面パネルのコーナー部の内面との距離が近くなってしまう。よって、天面パネルを外郭パネル１２０の上側に装着する際、天面パネルが外郭パネル１２０の上側に精度よく嵌合しなくなり、作業性が悪化してしまう。
【００２８】
ここで、天面パネルを外郭パネル１２０の上側に無理やり押し込んで嵌合させようとすると、上側コーナー曲げ部１２０ｂに発生した皺と天面パネルのコーナー部の内面とのこすれ等が発生し、その接触部分の塗装が剥がれ、その部分に錆が発生してしまう可能性が大きくなる。ただし、外郭パネル１２０のように、板金部品のフランジ１２０ａがコーナー部分で曲がっている場合、皺の大きさや位置などを制御することは難しいとされている。
【００２９】
そこで、外郭パネル１２では、図４に示すように、９０度前後の曲げ加工が施され、上側コーナー曲げ部１２ｂとなるフランジ１２ａに、初めから傾斜部１２ｄを作成するようにしている。傾斜部１２ｄは、外郭パネル１２のフランジ１２ａの直線部分である直線部１２ｇと、上側コーナー曲げ部１２ｂとの間に作成される。これにより、外郭パネル１２が完成した状態において、上側コーナー曲げ部１２ｂは、上側コーナー曲げ部１２ｂの理想の曲げライン１２ｃよりも内側に位置させる傾斜部１２ｄを介して直線部１２ｇと接続されるようになっている。
【００３０】
外郭パネル１２を作成する段階において、傾斜部１２ｄは、外郭パネル１２を構成する板金部品の曲げ加工が施される部分のうち少なくともフランジ１２ａの曲げ開始部分を、外郭パネル１２を構成する板金部品のうち少なくともフランジ１２ａの直線部分よりも所定の角度で曲げ方向（内側）に傾斜させて作成すればよい。それから、外郭パネル１２を構成する板金部品に曲げ加工を施せば、上側コーナー曲げ部１２ｂが、傾斜部１２ｄを介して、上側コーナー曲げ部１ｂの理想の曲げライン１２ｃよりも内側に位置することになる。なお、１つの上側コーナー曲げ部１２ｂに対して２つの傾斜部１２ｄが作成される。
【００３１】
図４には、外郭パネル１２のフランジ１２ａを９０度前後に曲げたときの上側コーナー曲げ部１２ｂの理想の曲げライン１２ｃを示している。また、図４には、傾斜部１２ｄを形成してから外郭パネル１２のフランジ１２ａを９０度前後に曲げたときの上側コーナー曲げ部１２ｂの理想の曲げライン１２ｅも示している。さらに、図４には、傾斜部１２ｄを形成してから形成した上側コーナー曲げ部１２ｂに発生した皺の状態も併せて図示している。
【００３２】
傾斜部１２ｄの傾斜角度及び長さは、上側コーナー曲げ部１２ｂが形成された際に、上側コーナー曲げ部１２ｂに発生する皺（図４に示す皺部１２ｆ）のうち外側に突出した部分が、理想の曲げライン１２ｃよりも内側に位置できるような傾斜角度及び長さで形成される。ただし、傾斜部１２ｄの傾斜角度及び長さは、外郭パネル１２を構成する板金の種類、室外機６０の大きさによって最適な数値が変わるため、一概に定めることはできない。また、１つの上側コーナー曲げ部１２ｂに対し作成される２つの傾斜部１２ｄの傾斜角度及び長さを同じものとしてもよく、異なるものとしてもよい。
【００３３】
図４及び図５に示すように、傾斜部１２ｄを形成することで、上側コーナー曲げ部１２ｂが形成された際、皺部１２ｆのうち外側に突出した部分が、理想の曲げライン１２ｅよりも外側にはみ出ているものの、理想の曲げライン１２ｃよりも内側に位置される。なお、図５では、傾斜部１２ｄを作成した上側コーナー曲げ部１２ｂのイメージとしての曲げ後の理想状態を表示している。また、上側コーナー曲げ部１２ｂの高さを、フランジ１２ａの直線部１２ｇと同じ高さにできる。
【００３４】
そのため、皺部１２ｆのうち外側に突出した部分が、理想の曲げライン１２ｅよりも外側にはみ出したとしても、理想の曲げライン１２ｃから外側にはみ出すことなく、天面パネル１４のコーナー部の内面１４ａと接触することがない。よって、皺部１２ｆと天面パネル１４のコーナー部の内面１４ａとのこすれ等が発生せず、その部分の塗装が剥がれることがなくなり、その部分の錆の発生を大幅に抑制できる。
【００３５】
また、傾斜部１２ｄを設けることで、上側コーナー曲げ部１２ｂに皺対策の切り込みを形成したり、上側コーナー曲げ部１２ｂの高さを低くしたりしなくても済むため、外から浸入する雨等の水分による錆の心配もなくなる。皺対策として、上側コーナー曲げ部に切り込みを形成すると、切り込み部分の端面は塗装していないため、外から浸入した水分が付着しやすく、錆の発生を助長してしまうことになる。また、皺対策として、上側コーナー曲げ部の高さを低くすると、上側コーナー曲げ部の高さを低くした部分の端面に外から浸入した水分が付着しやすく、こちらも錆の発生を助長してしまうことになる。
【００３６】
なお、本実施の形態では、外郭パネル１２の右前上部の上側コーナー曲げ部１２ｂについて説明したが、外郭パネル１２の左前上部の上側コーナー曲げ部でも、側面パネル１３の上側コーナー曲げ部でも同様の形状とすることができる。また、傾斜部１２ｄを作成したことで、傾斜部１２ｄを作成していないものに比べ、上側コーナー曲げ部１２ｂが内側に出っ張ったものとなる。しかしながら、上側コーナー曲げ部１２ｂに対応する機械室９、送風機室５の位置には、ともに接触するような部品が配置されていないため、特段の問題は発生しない。
【００３７】
ただし、外郭パネル１２の上側コーナー曲げ部１２ｂに傾斜部１２ｄを作成せず、天面パネル１４のコーナー部を外側に膨らましたとしても、同じ効果が得られるが、天面パネル１４が外側に膨らむことになり、見栄えが悪くなる。
【００３８】
以上のように、室外機６０は、傾斜部１２ｄを作成した状態でフランジ１２ａに曲げ加工を施し、上側コーナー曲げ部１２ｂを形成するようにしているので、皺部１２ｆが天面パネル１４のコーナー部の内面１４ａと接触することがない。よって、室外機６０によれば、天面パネル１４を嵌める際の作業性が悪化することなく、皺部１２ｆと天面パネル１４のコーナー部の内面１４ａとのこすれ等が発生せず、その部分の塗装が剥がれることがなくなり、その部分の錆の発生を大幅に抑制できる。また、空気調和装置Ａは室外機６０を備えているので、品質の低下を大幅に抑制できる。
【符号の説明】
【００３９】
１  Ｌ字曲げ熱交換器、２  プロペラファン、３  モータ、４  モーターサポート、５  送風機室、６  圧縮機、７  冷媒配管、８  電気品箱、９  機械室、１０  セパレータ、１１  底板、１２  外郭パネル、１２Ａ  コーナー曲げ部、１２ａ  フランジ、１２ｂ  上側コーナー曲げ部、１２ｃ  曲げライン、１２ｄ  傾斜部、１２ｅ  曲げライン、１２ｆ  皺部、１２ｇ  直線部、１３  側面パネル、１３Ａ  コーナー曲げ部、１３ａ  フランジ、１４  天面パネル、１４Ａ  側面、１４ａ  内面、５０  室内機、５１  据付板、５７  吸込口、５８  吹出口、５９  ビス、６０  室外機、６１  支持台、１２０  外郭パネル、１２０ａ  フランジ、１２０ｂ  上側コーナー曲げ部、１２０ｃ  曲げライン、Ａ  空気調和装置。
【図１】
2015031488.tif 000003
【図２】
2015031488.tif 000004
【図３】
2015031488.tif 000005
【図４】
2015031488.tif 000006
【図５】
2015031488.tif 000007
【図６】
2015031488.tif 000008